(57)【要約】【課題】簡単な構造によってガイド軸の軸方向の移動を規制することにより、奥行きの長さが短縮化されたトラバースシャーシを備える光ディスク装置を提供すること。【解決手段】ディスクトレイを前後進可能に支持するローダーシャーシに昇降可能に配置されるトラバースシャーシを備える光ディスク装置であって、前記トラバースシャーシは、光ディスクに対して情報信号の記録及び／又は再生を行う光ピックアップと、前記光ピックアップを光ディスクの半径方向に沿って往復移動可能に支持するガイド紬とを有し、前記トラバースシャーシは、その前端部及び後端部が略Ｌ字状に折り曲げられてなる折曲部を備え、前記ガイド軸の一端が前記トラバースシャーシの前端部の折曲部に当接し、前記ガイド軸の他端が前記トラバースシャーシの後端部の折曲部に当接することによって前記ガイド軸の軸方向への移動が規制されることとする。【選択図】図１
2013004146.tif 000002
【特許請求の範囲】
【請求項１】
ディスクトレイを前後進可能に支持するローダーシャーシに昇降可能に配置されるトラバースシャーシを備える光ディスク装置であって、
前記トラバースシャーシは、光ディスクに対して情報信号の記録及び／又は再生を行う光ピックアップと、前記光ピックアップを光ディスクの半径方向に沿って往復移動可能に支持するガイド軸とを有し、
前記トラバースシャーシは、その前端部及び後端部が略Ｌ字状に折り曲げられてなる折曲部を備え、前記ガイド軸の一端が前記トラバースシャーシの前端部の折曲部に当接し、前記ガイド軸の他端が前記トラバースシャーシの後端部の折曲部に当接することによって前記ガイド軸の軸方向への移動が規制されることを特徴とする光ディスク装置。
【請求項２】
前記トラバースシャーシは、その中央部において前記光ピックアップを光ディスクの半径方向に沿って往復移動可能とするために、その後部よりも低い位置に形成されており、
前記トラバースシャーシの後部には、前記ガイド軸を挟み込んで前記ガイド軸の軸方向に直交する方向への移動を規制する複数の起立片が、前記トラバースシャーシから切り起こされて形成されていることを特徴とする請求項１に記載の光ディスク装置。
【請求項３】
前記トラバースシャーシは、その側部に絞り加工が施されるとともに、その側端部が前記折曲部とは反対方向に略Ｌ字状に折り曲げられてなる補強壁を備えることを特徴とする請求項１又は請求項２に記載の光ディスク装置。
【発明の詳細な説明】
【技術分野】
【０００１】
本発明は、光ピックアップが搭載されるトラバースシャーシを備える光ディスク装置に関するものである。
【背景技術】
【０００２】
近年、コンパクトディスク（以下、ＣＤという。）、デジタル多用途ディスク（以下、ＤＶＤという。）、ブルーレイディスク（以下、ＢＤという。）、ＨＤ−ＤＶＤといった光ディスクが実用化されている。このような光ディスクの記録再生を行うにあたっては、光ピックアップが用いられており、具体的には、光ピックアップが備える半導体レーザから射出された光ビーム（レーザ光）を光ディスクに照射することによって情報の記録や情報の読み取りが行われる。
【０００３】
光ディスク装置はローダーシャーシとローダーシャーシの内部に取り付けられるトラバースシャーシとを備えている。トラバースシャーシは、２本のガイド軸を有しており、光ピックアップは当該ガイド軸に案内されて前後方向に往復可能に搭載されている。
【０００４】
トラバースシャーシは、ローダーシャーシの内部において、一端部がビス等によってローダーシャーシに取り付けられ、他端部は、一端部の取り付け箇所（ビス止め箇所）を揺動中心として上下に昇降可能となっている。これにより、トラバースシャーシに搭載される光ピックアップは、光ピックアップが光ディスクに対して情報の記録及び／又は再生を行う位置（記録再生位置）と、光ピックアップをディスクトレイの搬送領域から退避させる位置（待機位置）との間で昇降されることになる。
【０００５】
ところで、トラバースシャーシは、上述したように、ローダーシャーシの内部に取り付けられて、ローダーシャーシの内部で昇降するものであるから、ローダーシャーシの大きさは光ディスク装置全体の大きさや光ディスク装置に付随可能な機能の量に影響を与えるものである。すなわち、トラバースシャーシが大きくなれば、これに伴ってローダーシャーシが大きくなり、光ディスク装置全体が大きくなってしまう。また、ローダーシャーシ内におけるトラバースシャーシの占有領域が大きくなると、ローダーシャーシ内に取り付けることができる部品が減少し、光ディスク装置の機能を増加させることが困難となる。
【０００６】
特許文献１に記載されているＤＶＤ駆動装置は、バネ板を折曲して水平部の両端に形成したシャフト支持枠と、この内側に設けた支持台とを備え、シャフト支持枠を上方に向かって弾性的に支持させ、ここに両ガイドシャフトの両端を支持して、この内側に設けた支持台に取付けたネジを回転させることにより両ガイドシャフトの傾斜角度をそれぞれ変えることにより、縦方向と横方向の水平度を出して、ピックアップから照射されるレーザービームの光軸を垂直になるように調整することができることが開示されている。
【０００７】
特許文献２に記載されているディスク装置は、トラバースメカにギア及びシフトレバーを取り付けて一体化する構成により、ギアの外れ止めを行いつつ部品の小型化を可能とすることが開示されている。また、シフトレバーを取り付けるビスとギアとを同心とすることにより、より小型化の効果が得られることが開示されている。
【先行技術文献】
【特許文献】
【０００８】
【特許文献１】特開２００２−１３３７９７号公報
【特許文献２】特開２００７−１８６６４号公報
【発明の概要】
【発明が解決しようとする課題】
【０００９】
トラバースシャーシにおいて大型化の一因となっているのは、ガイド軸の軸方向の長さ（光ピックアップの往復方向の長さ）である。ガイド軸は、光ディスクに光ビームを照射して情報の記録や情報の読み取りを行う光ピックアップを前後方向に往復可能に支持するものであり、その軸方向の長さを短くすることができず、トラバースシャーシの奥行きの長さが長くなってしまう。
【００１０】
さらに、上記特許文献１及び特許文献２では、ガイド軸の軸方向の移動を規制するためのシャフト支持粋がトラバースシャーシ上であって、ガイド軸の両端側に形成されており、当該シャフト支持枠の存在がさらにトラバースシャーシの奥行きを長くするので、トラバースシャーシ及びトラバースシャーシを備える光ディスク装置の小型化を阻害している。
【００１１】
本発明は、上述した問題点に鑑み、簡単な構造によってガイド軸の軸方向の移動を規制することにより、奥行きの長さが短縮化されたトラバースシャーシを備える光ディスク装置を提供することを目的とする。
【課題を解決するための手段】
【００１２】
上記目的を達成するために本発明の光ディスク装置は、ディスクトレイを前後進可能に支持するローダーシャーシに昇降可能に配置されるトラバースシャーシを備える光ディスク装置であって、前記トラバースシャーシは、光ディスクに対して情報信号の記録及び／又は再生を行う光ピックアップと、前記光ピックアップを光ディスクの半径方向に沿って往復移動可能に支持するガイド軸とを有し、前記トラバースシャーシは、その前端部及び後端部が略Ｌ字状に折り曲げられてなる折曲部を備え、前記ガイド軸の一端が前記トラバースシャーシの前端部の折曲部に当接し、前記ガイド軸の他端が前記トラバースシャーシの後端部の折曲部に当接することによって前記ガイド軸の軸方向への移動が規制されることを特徴としている。
【００１３】
この構成によれば、トラバースシャーシの前端部及び後端部において、トラバースシャーシが折り曲げられて折曲部が形成されており、一方の折曲部にガイド軸の一端が当接し、他方の折曲部にガイド軸の他端が当接することによってガイド軸の軸方向への移動が規制されるので、別途ガイド軸の軸方向への移動を規制するための構成を必要とせず、トラバースシャーシの奥行きの長さを短縮化することができる。また、前端部及び後端部に折曲部が形成されていることにより、トラバースシャーシの強度を高めることができるので、トラバースシャーシの奥行きの長さを短縮化してもトラバースシャーシの強度が低下することがない。
【００１４】
また上記構成の光ディスク装置において、前記トラバースシャーシは、その中央部において前記光ピックアップを光ディスクの半径方向に沿って往復移動可能とするために、その後部よりも低い位置に形成されており、前記トラバースシャーシの後部には、前記ガイド軸を挟み込んで前記ガイド軸の軸方向に直交する方向への移動を規制する複数の起立片が、前記トラバースシャーシから切り起こされて形成されていることが望ましい。
【００１５】
この構成によれば、トラバースシャーシの後部は、トラバースシャーシの中央部に比べて高い位置となるように形成されている。これにより、トラバースシャーシの後部においては、トラバースシャーシの中央部に比べてガイド軸までの距離が近くなる。従って、起立片を夫々トラバースシャーシの後部から切り起こして形成することによって、起立片の高さを低くすることができるので、起立片の強度が向上し、光ディスク装置が揺れたり、ガイド軸から起立片に力が加わったりすることによって起立片が変形することを防ぐことができる。
【００１６】
また上記構成の光ディスク装置において、前記トラバースシャーシは、その側部に絞り加工が施されるとともに、その側端部が前記折曲部とは反対方向に略Ｌ字状に折り曲げられてなる補強壁を備えることが望ましい。
【００１７】
この構成によれば、トラバースシャーシの強度を向上させるために、トラバースシャーシの側部に、プレス加工等により絞り加工を施し、トラバースシャーシの側端部を折り曲げることで、へミング曲げと同等の強度を得ることができる。これにより、曲げ工程に技術を要し、且つ金型のコストが高くなるヘミング曲げを行う必要がなくなり、曲げ工程の簡易化、コストの削減につながる。
【発明の効果】
【００１８】
本発明によれば、トラバースシャーシの前端部及び後端部において、トラバースシャーシが折り曲げられて折曲部が形成されており、一方の折曲部にガイド軸の一端が当接し、他方の折曲部にガイド軸の他端が当接することによってガイド軸の軸方向への移動が規制されるので、別途ガイド軸の軸方向への移動を規制するための楕成を必要とせず、トラバースシャーシの奥行きの長さを短縮化することができる。また、前端部及び後端部に折曲部が形成されていることにより、トラバースシャーシの強度を高めることができるので、トラバースシャーシの奥行きの長さを短縮化してもトラバースシャーシの強度が低下することがない。
【図面の簡単な説明】
【００１９】
【図１】は、本発明の一実施形態に係る光ディスク装置の構造を示す斜視図である。
【図２】は、本発明の一実施形態に係る光ディスク装置が備えるトラバースシャーシの構造を示す第１の斜視図である。
【図３】は、本発明の一実施形態に係る光ディスク装置が備えるトラバースシャーシの構造を示す第２の斜視図である。
【発明を実施するための形態】
【００２０】
［光ディスク装置］
以下に本発明の光ディスク装置の構造について図面を参照しながら説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２１】
図１は、本発明の一実施形態に係る光ディスク装置の構造を示す斜視図である。光ディスク装置１は、ＰＳ（ポリスチレン）等の合成樹脂性のローダーシャーシ２とディスクトレイ３とを備えている。
【００２２】
略矩形状のローダーシャーシ２の内部には、トラバースシャーシ４が配置されている。トラバースシャーシ４は、ローダーシャーシ２の後端部にネジ等の取り付け部材によって取り付けられており、後述する昇降機構によって、光ピックアップ８が光ディスクに対して記録及び／又は再生を行う記録再生位置と、光ピックアップ８をディスクトレイ３の搬送領域から退避させる待機位置との間で昇降される。
【００２３】
また、ローダーシャーシ２の前端部内側には、トラバースシャーシ４の昇降機構としてカムスライダ５が、ローダーシャーシ２に対して左右（ディスクトレイ３の搬送方向に略直交する方向）にスライド可能に取り付けられている。カムスライダ５は後述するディスクトレイ３の搬送機構が備えるピニオン１０の駆動に応じてスライドされるものである。
【００２４】
カムスライダ５のスライドに応じてトラバースシャーシ４が昇降されることによって、ディスクトレイ３が光ディスク装置１内部に収納される収納位置にあるときには、光ピックアップ８を記録再生位置に移動させ、ディスクトレイ３が収納位置にないとき（ディスクトレイ３が光ディスクを着脱するための引出位置にあるとき及びディスクトレイ３が搬送されているとき）には、光ピックアップ８を待機位置に移動させる。
【００２５】
トラバースシャーシ４の前端略中央部にはスピンドルモータ６が搭載されており、このスピンドルモータ６の軸にターンテーブル７が固着されている。また、トラバースシャーシ４には、光ピックアップ８が２本のガイド軸９，９（主軸と副軸）に案内されて前後方向に往復可能に搭載されており、夕一ンテーブル７に対して接近或いは離反させることができる。
【００２６】
ローダーシャーシ２には、光ディスクが載置されるディスクトレイ３が取り付けられている。ローダーシャーシ２の左右両側壁部の内面側には、ディスクトレイ３の搬送方向に沿って、上端部に突出部が形成されている複数のレール部２ａが所定の間隔をあけて形成されており、ディスクトレイ３の裏面の左右側縁には、レール部２ａに対応して略凹形状の溝部３ａが形成されている。そして、ディスクトレイ３の左右に形成されている溝部３ａ，３ａを、ローダーシャーシ２の左右に形成されているレール部２ａ，２ａに摺動自在に遊嵌させることによって、ディスクトレイ３が、ターンテーブル７の上部をローダーシャーシ２に対して前後方向にスライド可能（収納位置と引出位置との間をスライド可能）に取り付けられている。
【００２７】
ディスクトレイ３は、ローダーシャーシ２に前後進可能に支持されて、撤送機構によって搬送されるものである。ディスクトレイ３を収納位置と引出位置との間で搬送する搬送機構として、ローダーシャーシ２はモータ９とピニオン１０とモータ９の動力をピニオン１０に伝達する複数のギアやプーリ等により構成した駆動伝達機構（図１に示すギア１２，１３）とを備え、ディスクトレイ３は下面側（光ディスクが載置されない側の面）にラック１１を備えている。そして、モータ９の動力によってピニオン１０が回転駆動することによって、ピニオン１０と噛合するラック１１を備えるディスクトレイ３が前後方向にスライドされる。
【００２８】
[トラバースシャーシ]
図２は、本発明の光ディスク装置が備えるトラバースシャーシの構造を示す第１の斜視図である。なお、図２において、図１に示す構造と同じ部分には同じ符号を付してその説明を省略する。
【００２９】
トラバースシャーシ４は、開口を有し、スピンドルモータ６と、ターンテーブル７と、光ピックアップ８と、２本のガイド軸９，９（主軸と副軸）と、スレッドモータ１５と、を備えている。また、トラバ←スシャーシ４は、中央部が後部から段差を介して低い位置に形成されており、トラバースシャーシ４の中央部において、光ピックアップ８が光ディスクの半径方向に沿って往復移動可能となっている。
【００３０】
ターンテーブル７は、スピンドルモータ６の出力端に設けられ、スピンドルモータ６の回転に伴い回転する。光ピックアップ８は、ターンテーブル７に載置される光ディスクの記録面に対して情報の再生及び／又は記録を行う。光ピックアップ８は、光ピックアップ８を挟むようにして平行に配設される２本のガイド軸９，９に支持されており、スレッドモータ１５によりガイド軸９，９に沿って光ディスクの径方向にトラバース動作可能とされている。
【００３１】
トラバースシャーシ４の四隅には略Ｃ字状の貫通孔４３が形成されており、各貫通孔４３にビス等を挿通してローダーシャーシ２に設けられたビス孔に螺着されることにより、トラバースシャーシ４がローダーシャーシ２の底板に取り付けられている。
【００３２】
なお、トラバースシャーシ４のローダーシャーシ２に対する取り付け方法はこれに限られず、例えば内側に雌ネジが設けられた筒体を各貫通孔４３に挿通し、ローダーシャーシ２に立設され、外側に雄ネジが設けられた筒体を内嵌して、雌ネジに雄ネジを螺着することにより、トラバースシャーシ４をローダーシャーシ２の底板に取り付けることとしてもよい。
【００３３】
トラバースシャーシ４は、その側部にプレス加工等によって絞り加工が施されるとともに、その側端部が略Ｌ字状に下方（ターンテーブル７に載置される光ディスクに向かう方向に逆向きの方向）に向かって折り曲げられてなる補強壁１６，１６を有している。これにより、トラバースシャーシ４の強度を向上させることができ、トラバースシャーシ４を小型化、短縮化しても、トラバースシャーシ４が変形したり、曲がったりすることを防ぐことができる。
【００３４】
絞り加工及び補強壁１６，１６によるトラバースシャーシ４の強度の向上は、従来においてトラバースシャーシ４の強度を向上させるために使用されていたヘミング曲げと同等である。従って、曲げ工程に技術を要し、且つ、金型のコストが高くなるヘミング曲げを行う必要がなくなり、曲げ工程の簡易化、コストの削減につながる。
【００３５】
次に、ガイド軸の移動を規制する横成について、図２及び図３を参照しながら説明する。図３は、本発明の光ディスク装置が備えるトラバースシャーシの構造を示す第２の斜視図である。なお、図３において、図１、図２に示す横造と同じ部分には同じ符号を付してその説明を省略する。
【００３６】
上述したようにトラバースシャーシ４はガイド軸を２本備えているが、いずれのガイド軸も移動を規制する構成はほぼ共通しているため、以下の説明において、ガイド軸９，９のうち一方のガイド軸９（図２及び図３において紙面に向かって右側、スライドモータ１５から遠い位置に備えられるガイド軸９）について説明するものとする。
【００３７】
ガイド軸９は、トラバースシャーシ４の前部においては、上に凹形状に形成される軸受け部４１に支持された状態で、バネ体１９によってトラバースシャーシ４の底面に向かって押しつけられている。また、トラバースシャーシ４の後部においては、後述する複数の起立片に挟まれた状態で、バネ体１９によってトラバースシャーシ４の底面に向かって押しつけられている。これにより、ガイド軸９は、上下方向（光ディスクの軸方向）への移動が規制される。
【００３８】
なお、軸受け部４１は、ガイド軸９の上下方向への移動を規制するとともに、左右方向（ガイド軸９の軸方向に直交する方向）への移動を規制する。一方、トラバースシャーシ４の後部におけるガイド軸９の左右方向への移動は、２つの起立片（以下、「２つの起立片」を単に「起立片」という。）４２によって規制される。
【００３９】
起立片４２は、トラバースシャーシ４の後部において、トラバースシャーシ４の一部が切り起こされて形成される。起立片４２は間にガイド軸９を挟むようにして形成されて、ガイド軸９の外周面に当接し、ガイド軸９の左右方向への移動を規制する。
【００４０】
このようにトラバースシャーシ４から切り起こした起立片４２によって、ガイド軸９の左右方向への移動を規制することとすると、ガイド軸９の左右方向への移動を規制するために別部材を設ける必要がないので、部品点数を削減し、コストを削減することができる。
【００４１】
また、上述したように、トラバースシャーシ４の後部は、トラバースシャーシ４の中央部に比べて高い位置となるように形成されている。これにより、トラバースシャーシ４の後部においては、トラバースシャーシ４の中央部に比べてガイド軸９までの距離が近くなる。従って、起立片４２を夫々トラバースシャーシ４の後部から切り起こして形成することによって、起立片４２の高さを低くすることができるので、起立片４２の強度が向上し、光ディスク装置１が揺れたり、ガイド軸９から起立片４２に力が加わったりすることによって起立片４２が変形することを防ぐことができ、ガイド軸９の左右方向への移動規制精度が低下するのを防ぐことができる。
【００４２】
なお、他方のガイド軸９（図２及び図３において紙面に向かって左側、スライドモータ１５から近い位置に備えられるガイド軸９）において夫々の起立片４２はガイド軸９の軸方向にやや間隔をあけて形成されているが、いずれの起立片４２もトラバースシャーシ４の後部に形成されるものであれば、間隔をあけるか否か、間隔をあけるとしたときにどの程度の間隔をあけるかについては適宜選択することができる。
【００４３】
また、起立片４２はいずれもトラバースシャーシ４からの折り曲げ回数が２回以内となるように形成されており、これにより、起立片４２の強度を保って光ディスク装置１の揺れ等によって起立片４２が変形することを防ぐことができ、ガイド軸９の左右方向への移動規制精度が低下するのを防ぐことができる。
【００４４】
また、トラバースシャーシ４はその前端部及び後端部が略Ｌ字状に上方（ターンテーブル７に載置される光ディスクに向かう方向）に向かって折り曲げられてなる折曲部１７，１８を有している。なお、以下の説明において、前端部に形成される折曲部を折曲部１７とし、後端部に形成される折曲部を折曲部１８とする。
【００４５】
ガイド軸９は、その一端が折曲部１７に当接し、その他端が折曲部１８の内面に当接することで、軸方向への移動が規制されている。なお、折曲部１７は、折曲部１７とスピンドルモータ６及びターンテーブル７との間に一定のスペースを確保するために、折曲部１７の側部の一部がガイド軸９に向かってさらに折り曲げられており、ガイド軸９はこの部分（図２及び図３に示す側部折曲部１７１）に当接する。
【００４６】
本実施形態においては、折曲部１７が側部折曲部１７１を有することとしたが、折曲部１７とスピンドルモータ６及びターンテーブル７との間に一定のスペースを確保できる場合には、側部折曲部１７を有しないこととしてもよい。これにより、トラバースシャーシ４の奥行きの長さをより短縮化することができる。
【産業上の利用可能性】
【００４７】
本発明は、光ピックアップが搭載されるトラバースシャーシを備える光ディスク装置に利用できる。
【符号の説明】
【００４８】
１    光ディスク装置
２    ローダーシャーシ
３    ディスクトレイ
４    トラバースシャーシ
５    カムスライダ
６      スピンドルモータ
７    ターンテーブル
８    光ピックアップ
９    ガイド軸
１６  補強壁
１７  折曲部
１８  折曲部
４２  起立片
【図１】
2013004146.tif 000003
【図２】
2013004146.tif 000004
【図３】
2013004146.tif 000005